(57)【要約】【課題】  位置情報を含むメッセージの送受信が可能な通信装置において、効率的に位置情報を含む送信メールを作成し、受信メールに含まれる位置情報を効率的に処理することを可能とする。【解決手段】  送信側ナビゲーション装置１１が位置情報を含む電子メールの送信要求を検出すると（Ｓ１０１）、電子メールのヘッダ部に位置情報が含まれることを表わす文字や符号等を書き込み、電子メールを送信する（Ｓ１０４）。そして、受信側ナビゲーション装置１２にて、ヘッダ部のデータ解析処理（Ｓ１０５ａ）が行われ、ヘッダ部に位置情報が含まれることを表わす文字や符号が含まれる場合には、目的地設定画面にて受信した位置情報を目的地や経由地として設定可能とし（Ｓ１０７）、設定に基づいて目的地案内を開始する（Ｓ１０８）。【選択図】      図１
2005084997.tif 000002
【特許請求の範囲】
【請求項１】
第１の移動体と第２の移動体との間で位置情報を含む電子メールの送受信を行う通信システムにおいて、
前記第１の移動体は、前記位置情報を含む電子メールの作成時に、該電子メールのヘッダ部へ添付する位置情報に関連する情報を書き込むヘッダ書込手段と、
前記ヘッダ書込手段による前記情報の書込み後、電子メールを送信する送信手段を有し、
前記第２の移動体は、前記送信手段より送信された前記電子メールを受信する受信手段と、
該受信手段より受信した電子メールのヘッダ部を解析し、前記電子メールに位置情報が含まれているか否かを解析するヘッダ部解析手段と、
前記ヘッダ部解析手段によって前記電子メールに位置情報が含まれると解析した場合に、該電子メールに含まれる位置情報を抽出可能な抽出手段と
を有することを特徴とする通信システム。
【請求項２】
前記位置情報は少なくとも現在位置、経由地、目的地、待ち合せ場所、目印となる地点、自宅、メモリー登録地点の何れか１つを含むことを特徴とする請求項１に記載の通信システム。
【請求項３】
位置情報の取得が可能であり、該位置情報を含む電子メールの送信が可能な通信装置において、
前記位置情報を送信するか否かを判定する判定手段と、
前記判定手段により位置情報を送信すると判定した場合に、送信する位置情報を選択する選択手段と、
前記選択手段で選択した位置情報を電子メールへ添付し、該電子メールのヘッダ部に前記選択された位置情報に関する情報を書き込み可能とする位置メール作成手段と、
前記判定手段により位置情報を送信しないと判定した場合に、電子メールを作成するメール作成手段と、
前記位置メール作成手段及び／又はメール作成手段に作成された電子メールを送信する送信手段と
を備えることを特徴とする通信装置。
【請求項４】
前記位置情報に関する情報は、前記電子メールに位置情報が含まれることを表わす情報であることを特徴とする請求項３に記載の通信装置。
【請求項５】
電子メールの受信が可能な通信装置において、
受信した電子メールのヘッダ部を解析するヘッダ部解析手段と、
前記ヘッダ部解析手段によって受信した電子メールが位置情報を含む電子メールであると解析した場合に、該位置情報を抽出する抽出手段と
を備えることを特徴とする通信装置。
【請求項６】
前記抽出手段により抽出した位置情報を選択地点として設定可能な設定手段
を備えることを特徴とする請求項５に記載の通信装置。
【請求項７】
前記位置情報は少なくとも現在位置、経由地、目的地、待ち合せ場所、目印となる地点、自宅、メモリー登録地点の何れか１つを含むことを特徴とする請求項３乃至６の何れか１つに記載の通信装置。
【請求項８】
第１の移動体と第２の移動体との間で位置情報を含む電子メールの送受信が実行される通信プログラムにおいて、
前記第１の移動体で位置情報を含む電子メールの作成時に、前記電子メールのヘッダ部へ前記位置情報に関連する情報を書き込むヘッダ書込手段と、
前記ヘッダ書込手段による前記情報の書き込み後、電子メールを送信する送信手段と、
前記送信手段で送信された前記電子メールの受信を前記第２の移動体で行う受信手段と、
該受信手段で受信した前記電子メールのヘッダ部を解析し、前記電子メールに位置情報が含まれているか否かを解析するヘッダ部解析手段と、
前記ヘッダ部解析手段によって前記電子メールに位置情報が含まれると解析した場合に、前記位置情報を抽出可能な抽出手段と
を含むことを特徴とする通信プログラム。
【請求項９】
位置情報の取得が可能であり、該位置情報を含む電子メールの送信が可能な通信装置を、
前記位置情報を送信するか否かを判定する判定手段と、
前記判定手段により位置情報を送信すると判定した場合に、送信する位置情報を選択する選択手段と、
前記選択手段で選択した位置情報を電子メールへ添付し、該電子メールのヘッダ部に前記選択された位置情報に関する情報を書き込み可能とする位置メール作成手段と、
前記判定手段により位置情報を送信しないと判定した場合に、電子メールを作成するメール作成手段と、
前記位置メール作成手段及び／又はメール作成手段に作成された電子メールを送信する送信手段として機能させるための通信プログラム。
【請求項１０】
前記位置情報に関する情報は、前記電子メールに位置情報が含まれることを表わす情報であることを特徴とする請求項９に記載の通信プログラム。
【請求項１１】
電子メールの受信が可能な通信装置を、
受信した電子メールのヘッダ部を解析するヘッダ部解析手段と、
前記ヘッダ部解析手段によって受信した電子メールが位置情報を含む電子メールであると解析した場合に、該位置情報を抽出する抽出手段として機能させるための通信プログラム。
【請求項１２】
前記抽出手段により抽出した位置情報を選択地点として設定可能な設定手段
を含むことを特徴とする請求項１１に記載の通信プログラム。
【請求項１３】
前記位置情報は少なくとも現在位置、経由地、目的地、待ち合せ場所、目印となる地点、自宅、メモリー登録地点の何れか１つを含むことを特徴とする請求項８乃至１２の何れか１つに記載の通信プログラム。
【請求項１４】
請求項８乃至１３に記載の通信プログラムを記録したコンピュータ読み取り可能な記録媒体。
【発明の詳細な説明】
【技術分野】
【０００１】
本発明は、メッセージ交換を行う通信システム及び通信装置に関し、特に位置情報を添付したメッセージの送受信に関するものである。
【背景技術】
【０００２】
近年、利用の盛んになっているナビゲーション装置では、利用者によって出発地や目的地等の特定の地点が設定可能であり、設定された地点や車両の現在位置等を道路地図上に重ねて表示し、乗員に位置情報を提供する。そして、設定された地点を目的地として現在位置からの経路を探索し、乗員を目的地まで誘導することができる。
【０００３】
更に、通信手段を備えるナビゲーション装置を利用した電子メールの送受信システムが適用され、受信した電子メールを音声で案内することが可能である。また、ナビゲーション装置で取得可能な現在位置情報や、設定されている地点情報等の位置情報を含む電子メールの送受信を行うことも可能となっている。
【０００４】
このような位置情報を含む電子メールを利用する技術として、受信した位置情報やその詳細情報を表示装置に表示する地図上で確認することを可能とする車載用の情報通信装置や（例えば、特許文献１参照。）、受信した位置情報に基づいて目的地の設定等を可能とするメッセージ交換システムがある（例えば、特許文献２参照。）。
【特許文献１】特開２００３−１０９１８５号公報（[００４１]〜[００４３]図１３、図１４）。
【特許文献２】特開２００２−３３４１３９号公報（[００４４]〜[００５３]図３、図４）。
【発明の開示】
【発明が解決しようとする課題】
【０００５】
しかし、上記何れの従来技術においても、位置情報を含む電子メールの利用方法について記載されており、位置情報を含む電子メールの作成及び受信処理については具体的な方法が明らかにされていない。また、実際の電子メールの送受信において、位置情報を含む電子メールと位置情報を含まない電子メール（通常の電子メール）とが混在して受信される場合や送受信相手が同機種の装置を使用していない場合等が想定されるが、それらの状況下において、どのように正確な位置情報を送受信するのか明らかでない。
【０００６】
本発明は上記問題点に鑑みたもので、位置情報を含むメッセージの送信が可能な通信装置において、効率的且つ選択的に位置情報を含む送信メールを作成する機能を提供することを第一の目的とする。また、位置情報を含む電子メールと位置情報を含まない電子メールの混在する受信メールから、受信した電子メールに含まれる位置情報を効率的に処理する機能を提供することを第二の目的とする。
【課題を解決するための手段】
【０００７】
上記目的を達成するために、請求項１に記載の発明では、位置情報を含む電子メールの送受信が第１の移動体と第２の移動体との間で可能な通信システムにおいて、第１の移動体は、位置情報を含む電子メールの作成時に、ヘッダ書込手段により電子メールのヘッダ部へ添付する位置情報に関連する情報を書き込み、その後、送信手段にて電子メールを送信することを特徴とする。そして、第２の移動体は、受信手段により第１の移動体から送信された電子メールを受信し、ヘッダ部解析手段による受信した電子メールのヘッダ部の解析を基に、電子メールに位置情報が含まれているか否かを解析し、その結果、電子メールに位置情報が含まれる場合には、抽出手段によってその位置情報を抽出することを特徴とする。
【０００８】
第１の移動体が電子メールに添付する位置情報に関する情報をその電子メールのヘッダ部に添付することにより、第２の移動体はヘッダ部のみを確認するだけで電子メールに位置情報が含まれているか否かを判定することが可能となる。また、位置情報を含む電子メールのみを受信したい場合には、ヘッダ部のみを確認して電子メールを受信するか否か決定可能なため、煩わしい選択処理を行う必要がなく、通信料も削減できる。更に、第１の移動体で位置情報を含まない通常の電子メールを作成する場合には、ヘッダ部へ位置情報に関連する情報を書込まないため、第２の移動体で電子メールを受信した際、電子メールは位置情報を含まないと解析され、位置情報を含む電子メールと位置情報を含まない電子メールの区別が可能となる。
【０００９】
また、請求項２、又は請求項７、又は請求項１３に記載の発明によれば、位置情報に少なくとも現在位置、経由地、目的地、待ち合せ場所、目印となる地点、自宅、メモリー登録地点の何れか１つが含まれることを特徴とするため、第１の移動体は状況に応じた位置情報を送信することが可能となり、第２の移動体は受信した位置情報を考慮した移動が可能となる。
【００１０】
更に、請求項３に記載の発明によれば、位置情報の取得が可能であり、該位置情報を含む電子メールの送信が可能な通信装置において、判定手段により位置情報を送信するか否かを判定し、位置情報を送信すると判定した場合に、選択手段で送信する位置情報を選択し、位置メール作成手段により、選択された位置情報を電子メールへ添付して、その電子メールのヘッダ部へ添付した位置情報に関する情報を書込み可能とする。一方、判定手段により位置情報を送信しないと判定した場合には、メール作成手段により電子メールを作成する。そして、位置メール作成手段又は、メール作成手段により作成した電子メールを送信手段により送信することを特徴とする。従って、利用者は位置情報を電子メールに添付するか否かを選択し、更に、位置情報を添付する場合には、添付したい位置情報を選択することが可能となる。そして、ヘッダ部に位置情報に関連する情報が書き込まれる電子メールの作成が可能となる。また、位置情報に関連する情報はヘッダ部へ決まった形式で書き込むようにすれば、受信処理の際に形式に乗っ取った処理を行うことが可能となり、ソフトウェアの負担を軽減できる。
【００１１】
更に、請求項４、又は請求項１０に記載の発明では、ヘッダ部に書き込まれる位置情報に関する情報は、電子メールに位置情報が含まれることを表わす情報であることを特徴とするため、位置情報の有無や位置情報の種類をヘッダ部へ書込むことができる。これにより、ヘッダ部を解析するだけで電子メールに添付される位置情報の最低限の情報を得ることが可能となる。
【００１２】
そして、請求項５に記載の発明によれば、電子メールの受信が可能な通信装置において、ヘッダ部解析手段により受信した電子メールのヘッダ部を解析し、受信した電子メールが位置情報を含む電子メールであると解析した場合に、その位置情報を抽出手段にて抽出することを特徴とする。これにより、利用者は受信した電子メールに位置情報が含まれるか否か判断する必要はなく、位置情報が含まれる場合には、位置情報を抽出することが可能となる。そして、位置情報の抽出が可能となることにより、利用者は煩わしい操作をすることなく、電子メールに添付された位置情報を入手することが可能となる。
【００１３】
また、請求項６に記載の発明によれば、請求項５に記載の発明において、抽出手段により抽出した位置情報を選択地点として設定手段により設定可能とすることを特徴とする。従って、利用者は、抽出された位置情報を選択地点として設定するか否かのみを判断すればよく、煩わしい操作をせずに新たな位置情報の入手及び判断に基づいた設定を行うことが可能となる。尚、ここで言う選択地点は目的地、経由地等のナビゲーション装置で設定可能な地点を意味する。
【００１４】
更に、請求項８に記載の発明によれば、通信プログラムを実行することにより、第１の移動体と第２の移動体との間で位置情報を含む電子メールの送受信が実行さる際に、ヘッダ書込手段で第１の移動体が作成する位置情報を含む電子メールのヘッダ部へ位置情報に関する情報を書込み、その後、送信手段にて作成した電子メールを送信する。そして、受信手段で第２の移動体が送信された電子メールの受信を行うと、
ヘッダ部解析手段で受信した電子メールのヘッダ部を解析し、電子メールに位置情報が含まれているか否かを解析する。解析の結果、電子メールに位置情報が含まれると解析した場合は、抽出手段で位置情報が抽出可能となる。
【００１５】
第１の移動体が位置情報に関する情報を電子メールのヘッダ部に添付することにより、第２の移動体はヘッダ部のみを確認するだけで電子メールに位置情報が含まれているか否かを判定することが可能となる。また、位置情報を含む電子メールのみを受信したい場合には、ヘッダ部のみを確認して電子メールを受信するか否かが決定可能なため、煩わしい選択処理を行う必要がなく、通信料も削減できる。更に、第１の移動体で位置情報を含まない通常の電子メールを作成する場合には、ヘッダ部へ位置情報に関連する情報が書込まないため、第２の移動体で電子メールを受信した際、電子メールは位置情報を含まないと解析され、位置情報を含む電子メールと位置情報を含まない電子メールの区別が可能となる。
【００１６】
そして、請求項９に記載の発明によれば、通信プログラムを実行することにより、位置情報の取得が可能であり、該位置情報を含む電子メールの送信が可能な通信装置を、判定手段により位置情報を送信するか否かを判定し、位置情報を送信すると判定した場合に、選択手段で送信する位置情報を選択し、位置メール作成手段により、選択された位置情報を電子メールへ添付して、その電子メールのヘッダ部へ添付した位置情報に関する情報を書込み可能とし、一方、判定手段により位置情報を送信しないと判定した場合には、メール作成手段により電子メールを作成するよう機能させることを特徴とする。そして、位置メール作成手段又は、メール作成手段により作成した電子メールを送信手段により送信するよう機能させることを特徴とする。従って、利用者は位置情報を電子メールに添付するか否かを選択し、更に、位置情報を添付する場合には、添付したい位置情報を選択することが可能となる。そして、ヘッダ部に位置情報に関連する情報が書き込まれる電子メールの作成が可能となる。また、位置情報に関連する情報はヘッダ部へ決まった形式で書き込むこととすれば、受信処理の際に形式に乗っ取った処理を行うことが可能となり、ソフトウェアの負担を軽減できる。
【００１７】
また、請求項１１に記載の発明では、通信プログラムを実行すると、電子メールの受信が可能な通信装置を、ヘッダ部解析手段で受信した電子メールのヘッダ部を解析し、その電子メールが位置情報を含む電子メールであると解析した場合に、抽出手段で添付されている位置情報を抽出することを特徴とする。これにより、利用者は受信した電子メールに位置情報が含まれるか否か判断する必要はなく、位置情報が含まれる場合には、位置情報を抽出することが可能となる。そして、位置情報の抽出が可能となることにより、利用者は煩わしい操作をすることなく、電子メールに添付された位置情報を入手することが可能となる。
【００１８】
更に、請求項１２に記載の発明によれば、請求項１１に記載の発明において、抽出手段で抽出した位置情報を選択地点として設定手段で設定可能とすることを特徴とする。従って、利用者は、抽出された位置情報を選択地点として設定するか否かのみを判断すればよく、煩わしい操作をせずに新たな位置情報の入手及び判断に基づいた設定を行うことが可能となる。尚、ここで言う選択地点は目的地、経由地等のナビゲーション装置で設定可能な地点を意味する。
【発明を実施するための最良の形態】
【００１９】
（第一実施形態）
以下、本発明を車両用ナビゲーション装置に適用した一実施形態について、図１及び図４を参照しながら説明する。
【００２０】
図１は本実施形態の車両用ナビゲーション装置の全体構成を示す図である。車両用ナビゲーション装置は、現在位置検出手段１、地図データ記憶手段２、操作手段３、通信手段４、制御手段５、表示手段６、及び外部メモリ７より構成されている。現在位置検出手段１は何れも周知のＧＰＳ受信機、ジャイロスコープ、車速センサ等を備えており、これらが互いに補間しながら車両の現在位置（自車位置）を検出するように構成されている。地図データ記憶手段２は、例えばＤＶＤ−ＲＯＭやＨＤＤ等の記憶媒体を備えて構成されており、地図データ、マップマッチング用データ、施設データ等の各種地図を表示したり、経路の探索や案内を行うためのデータを記憶している。
【００２１】
また、操作手段３は、例えば表示手段６と一体になったタッチスイッチやメカニカルなスイッチや音声入力を行う音声認識装置（図示せず）や遠隔操作入力を行うリモートコントロール端末装置（図示せず）等、利用者からの操作による各種入力信号を出力する。そして、本発明における位置メール作成手段、メール作成手段、設定手段、選択手段に相当する機能を有して構成される。
【００２２】
通信手段４は携帯電話等の通信機器によって構成され、外部と情報の送受信を可能とするものである。本発明における送信手段及び受信手段に相当する機能を有し、本実施形態では、通信手段４によって他のナビゲーション装置との電子メールの送受信を行う。
【００２３】
制御手段５はマイクロコンピュータ等のコンピュータ手段を有して構成されるものであり、内部には周知のＣＰＵ、ＲＯＭ、ＲＡＭ、Ｉ／Ｏ及びこれらの構成を接続するバスラインが備えられている。ＲＯＭはナビゲーション用のプログラムデータや通信プログラムの一部等を格納し、ＲＡＭはプログラムの実行に必要なデータや地図データ記憶手段２から取得する地図データ等を一時的に格納する。そして、制御手段５では各種プログラムを実行することにより後述する電子メールの送受信処理や経路探索や地図表示等の車載用ナビゲーション装置におけるさまざまな制御処理を実行する機能を備えている。
【００２４】
表示手段６は車両の現在地や道路地図等を出力し、車内へそれらの情報を報知する。一般的には、液晶表示装置が主に用いられるが、ＣＲＴ表示装置や有機ＥＬディスプレイ等を用いてもよい。そして、現在位置検出手段１からの自車位置情報と地図データ記憶手段２より取得される地図データを基に生成する自車位置マークや案内経路等の付加データを表示地図上に重ねて表示する機能を実現する。また、表示手段６以外の報知手段としてスピーカ（図示せず）を用いてもよい。スピーカは車内に音声を発生するものであり、走行中等、利用者が表示手段６から情報を得ることが困難な状況でも利用者への情報の報知を可能としている。
【００２５】
外部メモリ７は、ＨＤＤやフラッシュＲＯＭ等の書き込み可能な不揮発性記憶媒体より構成され、本実施形態では、電子メールの送信先アドレスや送受信メール等消去してはならないデータを記憶する記憶媒体として使用される。
【００２６】
上記構成において、本車載用ナビゲーション装置では、通信手段を有する他のナビゲーション装置と位置情報を含む情報の送受信を行う。図２は送信側ナビゲーション装置１１による現在位置や目的地等の送信元の位置情報の送信手順と受信側ナビゲーション装置１２による送信元の位置情報の受信及び受信情報を基にした設定の手順等の基本的な手順を示したものである。尚、送信側ナビゲーション装置１１及び受信側ナビゲーション装置１２は図１に示した車両用ナビゲーション装置と同様に構成されるものとする。
【００２７】
まず、送信側ナビゲーション装置１１では、表示手段６に表示されるメール作成画面にて現在地情報、若しくは目的地情報を含む電子メールの送信要求を検出すると（Ｓ１０１）、利用者に送信先のアドレスや送信する旨を確認する（Ｓ１０２）。そして、利用者より送信確認がなされると、制御手段５にて位置情報を含む電子メールを作成し（Ｓ１０３）、作成した電子メールを送信する（Ｓ１０４）。この時、電子メールには、タイトルを含むヘッダ部に現在地や目的地等の位置情報が含まれることを表わす文字や符号等が書き込まれ、テキスト部には、位置情報を具体的に表わすマップコード（（株）デンソーの登録商標）や経度・緯度データを含むメッセージが書き込まれる。
【００２８】
受信側ナビゲーション装置１２では、メール受信処理としてまず制御手段５にてヘッダ部のデータ解析処理（Ｓ１０５ａ）若しくは、テキスト部のデータ解析処理（Ｓ１０５ｂ）を行う。ヘッダ部に位置情報が含まれることを表わす文字や符号が含まれる場合には、その位置情報の設定を行うか否かを利用者に問う（Ｓ１０６）。そして、利用者から位置情報の設定要求を受けると、制御手段５で自動的にテキスト部に含まれる位置情報を抽出し、目的地設定画面にて位置情報を目的地や経由地として設定可能とし（Ｓ１０７）、設定に基づいて目的地案内を開始する（Ｓ１０８）。
【００２９】
以上のような手順で、送信側ナビゲーション装置１１から現在位置や目的地等の位置情報を含む電子メールの送信が簡便な操作にて行え、受信側ナビゲーション装置１２により位置情報を含む電子メールを受信した際には簡便な操作にて受信した位置情報を設定可能とする。
【００３０】
以下、本実施形態の具体的な処理について図３及び４を用いて説明する。図３は送信側ナビゲーション装置１１での送信側メール処理を表わすフローチャート図である。利用者からのメール作成の要求により、図３における送信側メール処理が開始する。まず、図３のステップ（以下Ｓと略す）２００にて電子メールを作成するメール作成画面を表示手段６に表示する（図２：Ｓ１０１参照）。ここで、メール作成画面に「目的地情報」や「現在地情報」等の地点を表わすボタンを設け、作成中の電子メールに位置情報を付加するか否か選択可能とする。
【００３１】
そして、Ｓ２０１では「目的地情報」や「現在地情報」の位置情報を付加するよう選択されたか否かを判定する。利用者が電子メールに位置情報を付加しないよう選択した場合（Ｓ２０１：Ｎｏ）、従来のメール作成処理と同様に利用者がメッセージを書き込む等、通常のメール作成処理を行い（Ｓ２０７）、Ｓ２０４へ移行する。一方、電子メールに位置情報を付加するよう選択した場合（Ｓ２０１：ＹＥＳ）、制御手段５にて、作成するメールのヘッダ部に「現在地」や「目的地」等の位置情報を含むことを表わす文字や符号を書込み（Ｓ２０２）、Ｓ２０３ではテキスト部に位置情報を具体的にマップコードや経度・緯度データで書き込む（図２：Ｓ１０２参照）。
【００３２】
Ｓ２０４では、作成した電子メールを送信する宛先のアドレスを利用者に選択又は入力させることにより取得する（図２：Ｓ１０３参照）。ここで、宛先のアドレスや送信内容を表示手段６に表示し、確認可能とする。送信メールの確認後、利用者は「送信」スイッチの押下等により送信操作を行うこととなる。送信側ナビゲーション装置１１では、Ｓ２０５にて利用者からの送信操作を検出すると、Ｓ２０６にて作成した電子メールの送信処理を行い、送信側メール処理を終了する。
【００３３】
次に、受信側ナビゲーション装置１２での受信側メール処理について、図４を用いて説明する。図４において、Ｓ３００にて電子メールの受信を検知すると、Ｓ３０１へ移行し、ヘッダ部に「現在地」や「目的地」等の位置情報が含まれることを表わす文字又は符号が記載されているか否かを判定する（図２：Ｓ１０５ａ参照）。Ｓ３０１にて位置情報が含まれれている文字又は符号が記載されていないと判定した場合（Ｓ３０１：ＹＥＳ）、テキスト部を表示手段６に表示したり、音声でメッセージを読み上げる等通常のメール受信処理を行い（Ｓ３０７）、受信側メール処理を終了する。
【００３４】
一方、ヘッダ部に位置情報が含まれることを表わす文字又は符号が記載されていると判定した場合（Ｓ３０１：ＹＥＳ）、Ｓ３０２にてヘッダ部から送信者と位置情報の種類を取得し、表示手段６に表示したり、音声によって利用者へ報知すると共に利用者に位置情報を目的地や経由地等の案内地点として設定するか否か問う（Ｓ３０３及び図２：Ｓ１０６参照）。Ｓ３０４では、利用者から位置情報を案内地点として設定しないよう操作されたと判定した場合（Ｓ３０４：Ｎｏ）、受信側メール処理を終了する。そして、位置情報を案内地点として設定するよう操作がなされたと判定した場合（Ｓ３０４：ＹＥＳ）には、予め受信した位置情報が選択されている目的地設定画面を表示手段６に表示し（Ｓ３０５及び図２：Ｓ１０７参照）、簡便な操作によって目的地設定や経由地設定を可能とする。そして、設定に基づいた案内を開始する（Ｓ３０６及び図２：Ｓ１０８参照）。
【００３５】
以上、本実施形態の車載用ナビゲーション装置によれば、電子メールの送受信の際に、効率的に位置情報を含む送信メールを作成し、受信メールに含まれる位置情報を効率的に処理することが可能となる。即ち、送信側ナビゲーション装置１１（第１の移動体）では、電子メールに添付する位置情報に関する情報をその電子メールのヘッダ部に書き込むため、煩わしい操作をせずに、位置情報を含む電子メールの作成が可能となる。そして、受信側ナビゲーション装置１２（第２の移動体）では、ヘッダ部のみを確認するだけで電子メールに位置情報が含まれているか否か判定されるため、煩わしい判断操作を行う必要がなく、受信した位置情報を目的地等として設定することが可能となる。これにより、設定された位置情報に基づいた経路案内が可能となるため、送信側ナビゲーション装置１１（第１の移動体）と受信側ナビゲーション装置１２（第２の移動体）が状況に応じた位置情報を送受信し、同調した移動を行うことが可能となる。
【００３６】
尚、本実施形態でのＳ２０１は本発明における判定手段及び選択手段に、Ｓ２０２はヘッダ書込手段及び位置メール作成手段に、Ｓ２０６は送信手段に、Ｓ２０７はメール作成手段に、Ｓ３００は受信手段に、Ｓ３０１はヘッダ部解析手段に、Ｓ３０３は抽出手段、Ｓ３０５は設定手段に相当する。
【００３７】
尚、本実施形態では、現在位置及び目的地の位置情報を送信し、受信側ナビゲーション装置１２で目的地として設定可能としたが、送信する位置情報は上記地点に限定されるものではなく、送信側ナビゲーション装置１１で設定されている経由地、自宅、メモリー登録地点を送信し、受信側のナビゲーションにて経由地や新たなメモリー登録地点として設定可能としてもよい。また、送信側ナビゲーション装置１１及び受信側ナビゲーション装置１２の両ナビゲーション装置の機能を有するナビゲーション装置にて、位置情報の送受信を可能としてもよい。
【００３８】
そして、複数の位置情報を送信可能としてもよく、その場合には、受信側ナビゲーション装置１２で受信した位置情報を利用者に選択可能とする態様で表示することにより、利用したい位置情報を設定可能とする。また、送信側ナビゲーション装置１１から予め作成した位置情報を含むメールと含まないメールを同時に複数送信可能としてもよい。
【００３９】
更に、本実施形態では、受信側のナビゲーション装置１２にて、受信した電子メールのヘッダ部を解析することによって、位置情報の添付の有無を判定したが、電子メールが受信可能な従来のナビゲーション装置であっても、電子メールのテキスト部に含まれる位置情報の詳細（マップコードや経度・緯度データ）を抽出することにより、位置情報の取得を可能とする。
【００４０】
そして、本実施形態は車両に搭載されたナビゲーションを対象とするものを示したが、車両に限らず他の移動体（自転車、バイク、人等）、あるいは位置情報を取得及び設定可能な携帯電話やＰＤＡ（Ｐｅｒｓｏｎａｌ  Ｄｉｇｉｔａｌ  Ａｓｓｉｓｔａｎｔｓ）などの携帯端末においても同様に適用することができる。
【図面の簡単な説明】
【００４１】
【図１】本発明の一実施形態に係る車載用ナビゲーション装置の構成図である。
【図２】本発明の一実施形態に係る基本的な流れを示す図である。
【図３】本発明における送信側メール処理のフローチャートを示す図である。
【図４】本発明における受信側メール処理のフローチャートを示す図である。
【符号の説明】
【００４２】
１・・・現在位置検出手段
２・・・地図データ記憶手段
３・・・操作手段
４・・・通信手段
５・・・制御手段
６・・・表示手段
７・・・外部メモリ
【図３】
2005084997.tif 000003
【図１】
2005084997.tif 000004
【図２】
2005084997.tif 000005
【図４】
2005084997.tif 000006